(57)【要約】      （修正有）【課題】睡眠中の体調を監視し、突然死も避け、孤独死をも解決するｄｏｃｔｏｒマットを提供する。【解決手段】寝具用マット１に、呼吸音、気管音、心臓音、肺臓音、脾臓音、膵臓音、肝臓音、腎臓音、胃袋音、小腸音、大腸音、動脈音及び静脈音へと、各臓器毎にミニマイクを潜ませる。動く臓器の臓器固有振動波を音波としてミニマイクが検出し、睡眠中の呼吸音、心拍音、内蔵音血液の流れを、コールセンター２へ送信し、クラウド化で人工知能医療機器へと送受信する。【選択図】図１
2019140659.tif 000002
【特許請求の範囲】
【請求項１】
ミニマイクを潜めた事を特徴とする寝具用マット。
【請求項２】
ミニマイク音をコールセンターへ送信する事を特徴とする寝具用マット。
【請求項３】
クラウド化で人工知能医療器へと転送する事を特徴とするミニマイク音。
【発明の詳細な説明】
【技術分野】
【０００１】本発明は、医療器に関するものであります。寝具用マットにミニマイクを潜める工夫で、睡眠中の呼吸音、心拍音、内蔵音をコールセンターへ送信し、クラウド化で人工知能医療機器へと送受信するシステムであります。
【背景技術】
【０００２】昔は、大家族で孤独死も少なく、誰か看取る者がいましたが、最近は、高齢化社会で一人暮らしも増えて、孤独死も多くなりました。親と離れて暮らす子供たちは、故郷に残した親の安否を気遣い、災害時や急病の折に素早く連絡しあう、安否確認ＬＩＮＥサービスもありますが、持ち歩く携帯電話は、遂、忘れがちで、緊急時や急病の時には、傍にも無く、案外と役には立ちません。それも、常に健康状態を見守る器具でもなく、緊急時や急病時のみの臨時サービスであります。しかも、睡眠中では、枕元に携帯電話も置き忘れ、急病が襲えば、夜中で真っ暗で、探す余裕すらもありません。手が震え、呼吸も乱れ、立ち上がれず、声も出ず、汗一杯に流れる苦しい時に、一人寝には、誰の助けも求められず、哀れに孤独死を迎えるのであります。孤独死には至りませんが、睡眠中に、体調が悪い！身体が痺れる！動けない！誰か助けを呼びたいと叫びたいが声も出ない！枕元にあるスマートフォンも握れず！持てない！手が震えてスマホのボタンも押せないと！苦し紛れでベツトで悶えも出来ず！不動の状態である！動悸が激しい！息苦しく唸り、苦痛はより酷くなり、治療の遅れとなります。病室のベツトでも同じであり、今は、ボタンを押せば、直に駆けつけて来る便利なナースコールもありますが、高熱で、衰弱で、手も震え、指が思うに曲がらず、ボタン押すにも力も入らず、自由に腕も曲がらない場合もあります。声で知らせる音響センシングのナースコールもあるが、喉が乾き、唇も渇き、声が思うに出ず、何を喋っているかもナースには分からない場合もあります。更に、病症の不安と寂しさで、必要もなく何度となくナースコールでボタンを押す患者もあり、多忙で見回るナースには嫌に為るほど世話の妬ける患者の場合もあります。面倒な患者のナースコールには、今度は、無碍に疎かにする場合もあります。否、煩いから邪険にナースコールを取り合わない場合もあるんです。また、ナースコールを常に待受けている訳でもなく、心電図ばかりを見詰めてもおれず、多忙で動き回るナースにも、遂、見落とし、聞き落とす場合もあります。
【発明の開示】
【発明が解決しようとする課題】
【０００３】しかし、聞き落されては患者の命は危険に曝され、無碍に扱われては患者との繋がりも断たれ、邪険にされればナースコールとの連絡も不調となり、対処も遅れ、病気の悪化に繋がる課題もあります。更に、家庭でも、睡眠中に体調異変や苦痛も起こり、早急に救助を求めたい課題もあります。特に、一人暮らしで急病に苦しむ人には、早く助けを願い、孤独死を避ける課題もあります。そして、緊急時や急病時だけではなく、常日頃から、健康に注意をし、睡眠中にも怠りなく健康管理に努める課題もあります。
【課題を解決するための手段】
【０００４】これらの課題を解決する為の請求項１の発明は、寝具用マットにミニマイクを潜める事を特徴とします。呼吸音、気管音、心臓音、肺臓音、脾臓音、膵臓音、肝臓音、腎臓音、胃袋音、小腸音、大腸音、動脈音、静脈音へと、各臓器毎にミニマイクをマットへ潜ませれば、より明確に詳細に各臓器の音は聞分けられて良いのです。が、マットに２個から５個のミニマイクを潜ませて、体中音を雑音として聴きとる仕掛けでも構いません。尚、血液の流れ、動く臓器には、臓器固有振動波もあり、それを音波としてミニマイクは聴きとる仕掛けであります。癌細胞波も精度が高くなれば音波として検出できるのであります。【０００５】また、請求項２の発明は、ミニマイクが聞きとった音をコールセンターへ送信する事を特徴とする。各臓器、各音波を個別にミニマイクからコールセンターへ送信しても構いません。が、２個から５個のミニマイクの音を一つに纏め、混合音としてコールセンターへ送信すれば、各臓器の複合音が雑音としてコールセンターは受信します。【０００６】また、請求項３の発明は、コールセンター・クラウド化からミニマイク音波を、人工知能医療機器へと転送する事を特徴とします。富士通開発のＺｉｎｒａｉと呼ぶ人工知能医療機器には、ナレッジ活用、埋もれる書類を検索する能力。ビジネスインテリジェンス、企業活動。デジタルマーティング、予測分析。無論、対話型ポット機能でコールセンターをクラウド化する機能もあります。
【発明の効果】
【０００７】本発明により、ｄｏｃｔｏｒマットに潜めたミニマイクの音波は、コールセンターでクラウド化します。クラウド化とは、ＮＴＴも奨励する、呼応内自動交換機のＰＢＸ機能、着信呼び自動分配器のＡＣＤ機能、データ閲覧のカスタマ−ポータ機能、分析と自動応答のＩＶＲ機能、顧客情報表示と着歴・制御機能、追記と音声応答のＣＤＲレポート機能などで、オペレーターの人為操作ではなく、２４時間３６５日完全無休で、通信を自動的に受送信する仕掛けであります。このシステムで、ミニマイク音波は自動操作で人工知能医療機器ジンライへと送信します。８時間睡眠基準、それは人生の３分の１が寝具のお世話になっている事でもあります。そのお世話になる寝具の底に敷くｄｏｃｔｏｒマットは、人生の３分に１の寝音を感知し、コールセンターへと送信し続け、人工知能医療機器ジンライが寝音を捉え、正否を判別し、寝る方の健康状態を監視します。異常があれば、医療機関へと自動送信も出来、緊急時は１１９番速報で素早い救助もします。家族への通報も親近者への連絡も、自動通報で即時対応し、孤独死を防止します。成人者の安静時の呼吸数は毎分１２回から１８回であり、６５歳以上では１２回から２８回で、８０歳以上では１０回から３０回との測定値がある。ｄｏｃｔｏｒマットは、睡眠者の呼吸音も感知し、ジンライが年齢適合値を判断します。年齢に不釣合いで危険値を越えれば、即、クラウドの自動送信で速報します。喧しい轟音の感知は自動警告ベルで、或は、自動振動器で気付かせ、鼾音を阻止します。１０秒間の無音は無呼吸症で、呼吸を促す警報ブザーで、警告振動で、通知もできます。度々、無呼吸を検知すれば、睡眠障害、舌根扁桃肥大、心筋梗塞の疑いで、早急に通報もでき早期発見に繋がります。勿論、本人も気付かない症状も知らせ、医療機関へとクラウド機能は瞬時自動速通します。インフルエンザ，風邪，肺炎は高熱で呼吸回数増加反応で、危険値ならば、素早く１１９番へと、医療機関へと、クラウド機能が自動送信する利便性もあります。就眠時から起床時迄の雑音記録、睡眠時間３６５日の記録、使用時からのデータはジンライが記憶する。今現在、睡眠時の雑音と照合し、日頃と異なるデータならば、早急に探査し、発生源を瞬時に究明し臓器異常を、本人は元より医療機関へと自動通報します。各臓器の正常と異常も検知もし、希望があれば安否確認ｌｉｎｅで親近者へ自動通信で、日々の体調状態も適時に通報します。無論、罹り付けの医療機関へも自動通報も怠りません。更に、ナースコールと併用もでき、入院患者の異常値、危険度も素早く自動コールでナースへも通知します。用事もなく、寂しさ紛れの暇潰しナースコールにも惑わされる事も無く、ジンライが異常値や異変を適正適格に判断しナースコールをします。勿論、重篤患者も老人ホームの入居者もｄｏｃｔｏｒマットに眠れば、刻々と送信する体調値で判明し、看護師も介護士も見回り作業も軽減され、適時に、ロスなく能率よく作業も出来るのであります。そして、ｄｏｃｔｏｒマットはライフスタイルも敏感に感知します。毎朝の起床時間も、毎夜の睡眠時間も記録するシステムで、今朝は寝起きが悪い、昨夜は遅かったから！多分、深夜まで酒を飲み過ぎで、胃音にも何時もとは違うリズムだ！昨夜は寝返り回数が多い！肝臓音も高い、腫れているかも、それが寝返りの原因かも、或は、膵臓、脾臓とジンライは検索も推理も探求し、大事になる前に警告もできるのであります。寝言も歯軋りも多い、何処か体調が悪いと、敏感にジンライは反応し、素早く判断もします。数分間の無音回数が近頃は多い、それはベツトを離れる回数が多い為だ、多分、腎機能の衰えで尿回数も増えている、と感知し、早期治療で腎臓透析も免れる。この長時間の無音空白は何かと？ジンライが異変を感ずれば、即、自動通信で１１９番へ連絡します。救急車が来てみれば、倒れてトイレで蹲る方も、浴槽で動けず水没寸前だと、早期対応で一命は救われ、孤独死も防止できるのであります。尚、倒れる危険場所であるトイレと風呂へは、ミニマイクをオプションすれば、その苦しむ声を反応し、より敏速に救助もできるのです。雑音受信も永らく途絶え、孤独死放棄の無残死も少なくなります。更にｄｏｃｔｏｒマットから送信されるデータは、寸刻の途絶えのない生のカルテなのです。その生きたデータと蓄積した過去データとを、ビジネスインテリジェンス、統合・分析・管理能力と、眠る書類から求める情報を得るナレッジ活用で、未知の病症も早期に発見でき、予防医学への道も大きく開けるのであります。それは、未病の備えでもあり、壮健、長寿への道でもあります。
【発明を実施するための最良の形態】
【０００８】図１は、ｄｏｃｔｏｒマット発信のミニマイク音をコールセンターが受信し、クラウド化で自動送信する事を特徴とする。クラウドの受信は、人工知能医療機器ジンライへ転送し、分析、解析、検索などの病症究明結果を各方面、本人、医療機関、１１９番、ｌｉｎｅ、ナースコールへと瞬時自動通信をする図であります。【０００９】図２は、寝具用マットであるｄｏｃｔｏｒマットにミニマイクを潜めた事を特徴とする。寝姿を背筋に沿い、五蔵六腑に沿いに、５個のミニマイクを潜めた斜視図であります。
【産業上の利用可能性】
【００１０】本発明に係るｄｏｃｔｏｒマットは、量産する事は可能である為、産業上の利用可能性を有する。
【図面の簡単な説明】
【００１１】
【図１】ｄｏｃｔｏｒマットに潜めたミニマイクからの発信音を、コールセンターからクラウドが受信し、人工知能医療機器ジンライへ転送する。更に、本人、医療機関へも、１１９番、ｌｉｎｅ、ナースコールへと自動送信のネットワーク図であります。
【図２】ｄｏｃｔｏｒマットに潜めた５個のミニマイクの斜視図であります。
【符号の説明】
【００１２】  １            ｄｏｃｔｏｒマット。
２            コールセンター。
３            クラウド。
４            ジンライ。
Ａ            ミニマイク。
【図１】
2019140659.tif 000003
【図２】
2019140659.tif 000004